(57)【要約】      （修正有）【課題】簡易な構成でありながらも、足を鼻緒付履物に確実に固定できる固定具および鼻緒付履物を提供する。【解決手段】鼻緒付履物１の固定具１０は、紐部１１と、紐部の少なくとも両端部１２に設けられて互いに着脱可能な係止部とを備える。紐部の中央部分は踵２１に巻き掛けられ、紐部の端部１２は、それぞれ、踵側から延びて足２０の側面と鼻緒３との間を上側から下側へ通されて、さらに下側から上側へ折り返されることにより、紐部が鼻緒を巻き込み、係止部は足の甲２２の上で互いに係止される。【選択図】図５
0003219631.tif 000002
【実用新案登録請求の範囲】
【請求項１】
紐部と、紐部の少なくとも両端部に設けられて互いに着脱可能な係止部とを備えた鼻緒付履物の固定具であって、
上記紐部の中央部分は、上記鼻緒付履物を履いた足の踵に巻き掛けられ、
上記紐部の端部は、それぞれ、上記踵側から延びて上記足の側面と上記鼻緒付履物の鼻緒との間を上側から下側へ通されて、さらに下側から上側へ折り返されることにより、上記紐部が上記鼻緒を巻き込んでおり、
上記紐部における両端部の上記係止部は、上記足の甲の上において互いに係止される、鼻緒付履物の固定具。
【請求項２】
紐部と、紐部の少なくとも両端部に設けられて互いに着脱可能な係止部とを備えた鼻緒付履物の固定具であって、
上記紐部の中央部分は、上記鼻緒付履物を履いた足の踵に巻き掛けられ、
上記紐部の端部は、それぞれ、上記踵側から上記鼻緒付履物の鼻緒における外側の側方に延ばされた状態で、上記足の側面と上記鼻緒との間を下側から上側へ通るように折り返されることによって、上記紐部が上記鼻緒を巻き込んでおり、
上記紐部における両端部の上記係止部は、上記足の甲の上において互いに係止される、鼻緒付履物の固定具。
【請求項３】
請求項１又は２に記載された鼻緒付履物の固定具が装着されている、鼻緒付履物。
【考案の詳細な説明】
【技術分野】
【０００１】
本考案は、鼻緒付履物を足に固定する固定具と、当該固定具を備えた鼻緒付履物に関する。
【背景技術】
【０００２】
草履や雪駄等の鼻緒付履物は、鼻緒の先緒部分に足先を引っ掛けて履くものであり、履きやすい反面、急な動作をした際などに脱げやすいという問題がある。ここで、特許文献１には、足を負傷した人が足の機能を回復するための歩行訓練に利用される草履型のサポーターが開示されている。
【０００３】
特許文献１の草履型サポーターは、鼻緒に複数の吊り平紐が複数取り付けられた草履と、足首に巻き付けて固定する平帯とを備えている。鼻緒の吊り平紐には、その先端側に面ファスナ（重ね合わせ止めテープ）が設けられている。一方、足首に巻き付ける平帯には、鼻緒の吊り平紐に対応して複数の掛け金具が取り付けられている。そして、使用者が足に草履を履いた状態で、鼻緒の各吊り平紐を、足首側の平帯における掛け金具にそれぞれ通し、折り返して貼り付ける。そのことにより、草履が足に固定されて脱げにくくなっている。
【先行技術文献】
【特許文献】
【０００４】
【特許文献１】実用新案登録第３１９６８０７号公報
【考案の概要】
【考案が解決しようとする課題】
【０００５】
上記特許文献１の草履型サポーターは、複数の吊り平紐を対応する掛け金具にそれぞれ通して面ファスナで固定するという構成であるため、その装着の手間が煩雑である。また、足に負傷等がない健常者にとっては、過剰な固定構造であり不向きである。
【０００６】
本考案は、かかる点に鑑みてなされたものであり、その目的とするところは、簡易な構成でありながらも、足を鼻緒付履物に確実に固定し得るようにすることにある。
【課題を解決するための手段】
【０００７】
第１の考案に係る鼻緒付履物の固定具は、紐部と、紐部の少なくとも両端部に設けられて互いに着脱可能な係止部とを備えた鼻緒付履物の固定具であって、上記紐部の中央部分は、上記鼻緒付履物を履いた足の踵に巻き掛けられ、上記紐部の端部は、それぞれ、上記踵側から延びて上記足の側面と上記鼻緒付履物の鼻緒との間を上側から下側へ通されて、さらに下側から上側へ折り返されることにより、上記紐部が上記鼻緒を巻き込んでおり、上記紐部における両端部の上記係止部は、上記足の甲の上において互いに係止される。
【０００８】
第２の考案に係る鼻緒付履物の固定具は、紐部と、紐部の少なくとも両端部に設けられて互いに着脱可能な係止部とを備えた鼻緒付履物の固定具であって、上記紐部の中央部分は、上記鼻緒付履物を履いた足の踵に巻き掛けられ、上記紐部の端部は、それぞれ、上記踵側から上記鼻緒付履物の鼻緒における外側の側方に延ばされた状態で、上記足の側面と上記鼻緒との間を下側から上側へ通るように折り返されることによって、上記紐部が上記鼻緒を巻き込んでおり、上記紐部における両端部の上記係止部は、上記足の甲の上において互いに係止される。
【０００９】
第３の考案に係る鼻緒付履物は、上記第１又は第２の考案に係る固定具が装着されている。
【考案の効果】
【００１０】
本考案によれば、固定具は、紐部の中央部分が踵に巻き掛けられると共に、紐部の両端部がそれぞれ足の側方で鼻緒を巻き込んだ状態で足の甲で互いに係止しているので、足を鼻緒付履物にしっかりと固定することができる。すなわち、鼻緒に巻き掛けられて固定された固定具によって、踵の上方への移動と足の後方への移動とがそれぞれ抑えられる。よって、紐部の少なくとも両端部に互いに着脱可能な係止部が設けられるという簡易な構成でありながらも、足を鼻緒付履物に確実に固定することができる。
【００１１】
しかも、足の後側ではなく、足の前側である甲の上で固定具の係止部を互いに係止させる構成であるので、固定具を容易に着脱することができる。加えて、固定具が鼻緒付履物と分離可能な構成であるため、足の固定が不要である場合には、鼻緒付履物を単体で使用することができる。
【図面の簡単な説明】
【００１２】
【図１】図１は、草履の外観を示す斜視図である。
【図２】図２は、紐部の中間部分を省略して示す固定具の平面図である。
【図３】図３は、本実施形態１における固定具の取付過程を示す斜視図である。
【図４】図４は、本実施形態１における固定具の取付過程を示す斜視図である。
【図５】図５は、本実施形態１における固定具が装着された草履を示す斜視図である。
【図６】図６は、本実施形態２における固定具の取付過程を示す斜視図である。
【図７】図７は、本実施形態２における固定具の取付過程を示す斜視図である。
【図８】図８は、本実施形態２における固定具が装着された草履を示す斜視図である。
【考案を実施するための形態】
【００１３】
以下、本考案の実施形態を図面に基づいて詳細に説明する。尚、本考案は、以下の実施形態に限定されるものではない。
≪実施形態１≫
【００１４】
図１は、草履１の外観を示す斜視図である。図２は、紐部１１の中間部分を省略して示す固定具１０の平面図である。図３及び図４は、本実施形態１における固定具１０の取付過程を示す斜視図である。図５は、本実施形態１における固定具１０が装着された草履１を示す斜視図である。尚、本実施形態では、草履１を鼻緒付履物の例として説明するが、草履１に限らず、例えば雪駄、サンダル及び下駄等の他の鼻緒付履物であってもよい。
【００１５】
図１に示すように、草履１は、足を乗せる本体部分である台２と、台２に取り付けられた鼻緒３とを備えている。鼻緒３は、つま先側（前側）に設けられた先緒４と、先緒４から踵側（後側）へ延びる横緒５と、横緒５の後端部分である後緒６とを有している。台２には、鼻緒３の端部が差し込まれる孔７，８が形成されている。すなわち、前側の孔７（前壺７とも称する）には、先緒４が差し込まれて台２に取付固定される一方、後側の孔８には、後緒６が差し込まれて台２に取付固定されている。
【００１６】
本実施形態１の固定具１０は、図２に示すように、紐部１１と、紐部１１の少なくとも両端部１２に設けられた係止部１３ａ，１３ｂとを備えている。紐部１１は、例えば帯状に形成されており、図示は省略するが例えば表側の合成樹脂層と、裏側の不織布層とを有している。紐部１１は、伸縮性が低く伸びにくい構成となっている。
【００１７】
紐部１１の両端部１２にそれぞれ設けられた係止部１３ａ，１３ｂは、互いに着脱可能であり、例えば面ファスナによって構成されている。尚、係止部１３ａ，１３ｂは、紐部１１の両端部１２だけでなく紐部１１の全体に設けられていてもよい。また、係止部１３ａ，１３ｂは、面ファスナ以外にも例えばホック等の他の構成でもよい。
【００１８】
次に、図３〜図５を参照して、固定具１０による足２０と草履１との固定構造について説明する。まず、図３に示すように、足２０に草履１を履いた状態で、紐部１１の中央部分が足２０の踵２１に巻き掛けられる。このとき、紐部１１の裏側の不織布層が踵２１に当接する。紐部１１は、踵２１の上側部分に巻き掛けられており、踵２１の後端における出っ張り部分に上側から引っ掛かるように配置する。そのことにより、踵２１は紐部１１によって下側の台２へ押さえ付けられる。
【００１９】
紐部１１の両方の端部１２は、それぞれ、踵２１側から前側へ延びて足２０の側面と鼻緒３における横緒５との間を上側から下側へ通される。続いて、図４に示すように、紐部１１の各端部１２が、下側から上側へ折り返されることにより、紐部１１が横緒５を巻き込んでいる。
【００２０】
さらに、図４及び図５に示すように、紐部１１における両端部１２の係止部１３ａ，１３ｂは、足２０の甲２２の上において互いに係止される。以上のようにして、足２０は、つま先側が先緒４により固定される一方、踵２１側は、鼻緒３に固定された紐部１１によって固定される。
【００２１】
このように、本実施形態１によると、固定具１０は、紐部１１の中央部分が踵２１に巻き掛けられると共に、紐部１１の両端部１２がそれぞれ足２０の側方で鼻緒３を巻き込んだ状態で足２０の甲２２で互いに係止しているので、足２０を草履１にしっかりと固定することができる。すなわち、鼻緒３に巻き掛けられて固定された固定具１０によって、踵２１の上方への移動と足２０の後方への移動とがそれぞれ抑えられる。よって、本実施形態１によれば、固定具１０が、紐部１１の少なくとも両端部１２に互いに着脱可能な係止部１３ａ，１３ｂが設けられるという簡易な構成でありながらも、足２０を草履１に確実に固定することができる。
【００２２】
ここで、仮に紐部１１の両端部１２を足２０の甲２２側から踵２１側へ延ばした状態で、その踵２１側で係止部１３ａ，１３ｂを互いに係止させる構成とすれば、使用者は目視により係止部１３ａ，１３ｂを確認しにくいため、固定具１０による固定作業が難しくなってしまう。これに対し、本実施形態１では、紐部１１の両端部１２を踵２１側から前側へ延ばした状態で、足２０の甲２２にて係止部１３ａ，１３ｂを互いに係止させる構成としたので、使用者は係止部１３ａ，１３ｂを目視することができ、固定具１０による固定作業を容易に行うことができる。
【００２３】
さらに、本実施形態１では、中央部分が踵２１に巻き掛けられた紐部１１の各端部１２を、それぞれ踵２１側から前側へ延ばして足２０の側面と横緒５との間を上側から下側へ通し、横緒５を内側から巻き込む構成としたので、横緒５の巻き込み位置から後側において、紐部１１を足２０に密着させることができる。その結果、踵２１を含む足２０の後側部分を、密着する紐部１１により確実に固定することができる。
【００２４】
そのことに加え、固定具１０が草履１と分離可能な構成であるため、足２０の固定が不要である場合には、草履１を単体で使用することができる。
≪実施形態２≫
【００２５】
図６及び図７は、本実施形態２における固定具１０の取付過程を示す斜視図である。図８は、本実施形態２における固定具１０が装着された草履１を示す斜視図である。尚、本実施形態２では、上記実施形態１と同様の部分については同じ符号を付してその詳細な説明を省略する。
【００２６】
本実施形態２の固定具１０も、上記実施形態１と同様の構造を有しており、紐部１１と、紐部１１の少なくとも両端部１２に設けられた係止部１３ａ，１３ｂとを備えている。図６〜図８を参照して、固定具１０による足２０と草履１との固定構造について説明する。まず、図６に示すように、足２０に草履１を履いた状態で、紐部１１の中央部分が足２０の踵２１に巻き掛けられる。紐部１１は、踵２１の上側部分に巻き掛けられており、踵２１の後端における出っ張り部分に上側から引っ掛かるように配置する。
【００２７】
図６に示すように、紐部１１の両方の端部１２は、それぞれ、踵２１側から前側へ延びて横緒５における外側の側方に延ばされた状態で、図７に示すように、足２０の側面と横緒５との間を下側から上側へ通るように折り返されることによって、紐部１１が横緒５を巻き込んでいる。
【００２８】
さらに、図７及び図８に示すように、紐部１１における両端部１２の係止部１３ａ，１３ｂは、足２０の甲２２の上において互いに係止される。以上のようにして、足２０は、つま先側が先緒４により固定される一方、踵２１側は、鼻緒３に固定された紐部１１によって固定される。
【００２９】
このように、本実施形態２によると、上記実施形態１と同様に、固定具１０は、紐部１１の中央部分が踵２１に巻き掛けられると共に、紐部１１の両端部１２がそれぞれ足２０の側方で鼻緒３を巻き込んだ状態で足２０の甲２２で互いに係止しているので、足２０を草履１にしっかりと固定することができる。よって、本実施形態２においても、固定具１０が、紐部１１の少なくとも両端部１２に互いに着脱可能な係止部１３ａ，１３ｂが設けられるという簡易な構成でありながらも、足２０を草履１に確実に固定することができる。
【００３０】
さらに、足２０の甲２２にて係止部１３ａ，１３ｂを互いに係止させる構成としたので、使用者は係止部１３ａ，１３ｂを目視することができ、固定具１０による固定作業を容易に行うことができる。また、固定具１０が草履１と分離可能であるため、足２０の固定が不要である場合には、草履１を単体で使用できる。
【産業上の利用可能性】
【００３１】
以上説明したように、本考案は、鼻緒付履物を足に固定する固定具と、当該固定具を備えた鼻緒付履物について有用である。
【符号の説明】
【００３２】
１  草履（鼻緒付履物）
２  台
３  鼻緒
４  先緒
５  横緒
１０  固定具
１１  紐部
１２  端部
１３ａ、１３ｂ  係止部
２０  足
２１  踵
２２  足の甲
【図１】
0003219631.tif 000003
【図２】
0003219631.tif 000004
【図３】
0003219631.tif 000005
【図４】
0003219631.tif 000006
【図５】
0003219631.tif 000007
【図６】
0003219631.tif 000008
【図７】
0003219631.tif 000009
【図８】
0003219631.tif 000010